(57)【要約】【課題】使用、不使用に応じて粘着剤層の表面を露出したり遮蔽したりする操作の簡易化を図れるテープカッターを提供する。【解決手段】カッター本体５の底面に、被着面に対し繰り返し接着及び再剥離を可能にする粘着剤層６を一体に設けてある。カッター本体５の底面に、保護カバー７が粘着剤層６の表面を遮蔽する姿勢と、前記表面から退けて該表面を露出する姿勢とにわたって軸２１回りに回転可能に取り付けられている。【選択図】      図４
2004189464.tif 000002
【特許請求の範囲】
【請求項１】
ロール状に巻回された粘着テープを保持するリールを回転可能に、かつ着脱可能に支持するリール支持部と、このリール支持部の前方に設置されて前記粘着テープの引き出し部を切断する切断部とを備えたカッター本体の底面に、被着面に対し繰り返し接着及び再剥離を可能にする粘着剤層を一体に設けてあるテープカッターにおいて、
前記カッター本体の底面には保護カバーが前記粘着剤層の表面を遮蔽する姿勢と、前記表面から退けて該表面を露出する姿勢とにわたって軸回りに回転可能に取り付けられていることを特徴とする、テープカッター。
【請求項２】
前記カッター本体の底面に凹所が設けられ、この凹所に、前記粘着剤層の表面を露出する姿勢下にある前記保護カバーが粘着剤層の表面と面一かもしくは粘着剤層の表面より上方に位置するように収納保持されるように構成してある、請求項１記載のテープカッター。
【請求項３】
前記保護カバーの粘着剤層遮蔽面側が、前記粘着剤層に対し線状もしくは断続状に接着する接着リブと、接着しない非接着凹面部とで構成されている、請求項１又は２に記載のテープカッター。
【発明の詳細な説明】
【０００１】
【発明の属する技術分野】
本発明は、ロール状に巻回された粘着テープを所望長さに引き出して切断できるようにしたテープカッターに関する。
【０００２】
【従来の技術】
この種のテープカッターとして、ロール状に巻回された粘着テープを保持するリールを回転可能に、かつ着脱可能に支持するリール支持部と、このリール支持部の前方に配置されて前記粘着テープの引き出し部を切断するカッターとを備えたカッター本体の底面に、机や作業台等の上面や側面等（以下、本明細書において「被着面」という。）に対し繰り返し接着、再剥離可能な粘着性ウレタン樹脂等の粘着剤層を一体に設けたものがある。このテープカッターは、粘着テープの引き出し及び切断時に動くことのないように被着面上に粘着剤層の粘着力により接着固定でき、不使用時には被着面から粘着剤層の粘着力に抗して剥離するというものである（例えば、特許文献１参照。）。これによれば、使用時に動くことのないように金属やコンクリート等の重量物をカッター本体内に充填したテープカッターに比べて、小型軽量化を図れ、また持ち運びに便利であるなどの利点がある。
【０００３】
【特許文献１】
実開平５−１６７６６号公報
【０００４】
【発明が解決しようとする課題】
しかるに、粘着剤層を底面に一体に設けた上記テープカッターでは、不使用時に粘着剤層の表面が露出状態にあると、その粘着剤層の表面に汚れやゴミが付着して粘着力の低下を来たし、その粘着力の回復のために頻繁な洗浄を余儀なくされ、また机等の中に入れて置くと他物が粘着剤層に付着するなどの問題があった。かかる問題を解消するために粘着剤層の表面に剥離フィルムを剥離可能に貼着するにしても、その剥離フィルムは指先でつかみ難くて剥離及び貼着操作が厄介であり、また不使用時には剥離フィルムを紛失しやすかった。
【０００５】
本発明は、上記のような問題を解決するためになされたもので、その目的とするところは、上記のような、粘着剤層を底面に一体に設けたテープカッターにおいて、粘着剤層の表面の遮蔽及び露出作用を自由自在とする保護カバーを常備することにより使用、不使用に応じて粘着剤層の表面の遮蔽・露出操作の簡易化、および保護カバーの紛失防止を図れるテープカッターを提供することにある。
【０００６】
【課題を解決するための手段】
本発明は、ロール状に巻回された粘着テープを保持するリールを回転可能に、かつ着脱可能に支持するリール支持部と、このリール支持部の前方に設置されて前記粘着テープの引き出し部を切断する切断部とを備えたカッター本体の底面に、被着面に対し繰り返し接着及び再剥離を可能にする粘着剤層を一体に設けてあるテープカッターにおいて、前記カッター本体の底面には保護カバーが前記粘着剤層の表面を遮蔽する姿勢と、前記表面から退けて該表面を露出する姿勢とにわたって軸回りに回転可能に取り付けられていることに特徴を有するものである。
【０００７】
この場合において、前記カッター本体の底面に凹所を設け、この凹所に、前記粘着剤層の表面を露出する姿勢下にある前記保護カバーを粘着剤層の表面と面一かもしくは粘着剤層の表面より上方に位置するように収納保持するものとすることができる。また、前記保護カバーの粘着剤層遮蔽面側は、前記粘着剤層に対し線状もしくは断続状に接着する接着リブと、接着しない非接着凹面部とで構成することができる。
【０００８】
【作用】
上記構成のテープカッターによれば、不使用時には保護カバーを軸回りに回転させて粘着剤層の表面を遮蔽することができ、これにより粘着剤層の表面に汚れやゴミなどが付着するのを防止できる。使用時には粘着剤層の表面から保護カバーを軸回りに反転させることにより粘着剤層の表面を露出することができ、被着面に対し粘着剤層の粘着力により接着固定できるため、粘着テープの引き出し及び切断を容易に行うことができる。
【０００９】
使用に際し、テープカッターを被着面に接着固定しないで、テープカッターを手に持って使用する場合は、粘着剤層を保護カバーで遮蔽する。これにより手が粘着剤層に触れてくっつくのを防止できる。
【００１０】
保護カバーは粘着剤層の表面を露出する姿勢のときに粘着剤層の表面と面一かもしくは粘着剤層の表面より上方に位置するようにカッター本体底面の凹所内に収納保持しておくと、使用に際してテープカッターの粘着剤層を被着面に接着固定するときに、保護カバーが何ら障害となることがなくて接着固定しやすくなる。
【００１１】
保護カバーの粘着剤層遮蔽面側が、粘着剤層に対し線状もしくは断続状に接着する接着リブと、接着しない非接着凹面部とで構成しておくと、保護カバーの粘着剤層に対する接着面積を少なくして接着力を弱めることができるため、保護カバーを粘着剤層から剥がしやすくなる。
【００１２】
【発明の実施の形態】
以下、本発明の好適な実施形態を図面に基づき説明する。図１は本発明の一実施例を示すテープカッターの平面図、図２は図１のテープカッターの側面図、図３は図１のテープカッターの底面図、図４は図１におけるＡ−Ａ線断面図である。
【００１３】
本発明のテープカッターは、図１、図４に示すように、ロール状に巻回された粘着テープ１を保持するリール２を回転可能にかつ着脱可能に支持するリール支持部３と、このリール支持部３の前方に設置されて粘着テープ１の引き出し部を切断する切断部４とを備えたカッター本体５と、このカッター本体５の底面に一体に設けられ、被着面に対し繰り返し接着及び再剥離を可能にする粘着性ウレタン樹脂等による粘着剤層６、およびカッター本体５の底面に取り付けられて粘着剤層６の遮蔽及び露出を可能にする保護カバー７により構成されている。
【００１４】
カッター本体５は、図４に示すように、内部を空洞状に形成しかつ底部を開放状に形成した本体上部５１と、この本体上部９の開放底内に嵌合されビス１０で一体的に結合されて前記開放底を閉塞する底板５２により構成されている。これら本体上部５１及び底板５２は、例えば、ポリスチレン等の合成樹脂で成形される。
【００１５】
上記本体上部５１に設けられるリール支持部３は、図１、図４に示すように、本体上部５１に一対の側壁部１２，１２を相対向状に設けるとともに、この側壁部１２，１２間にリール収容凹部１３を設けており、両側壁部１２，１２の対向する面には、粘着テープ１を着脱可能に保持するリール２の軸１４を、回転可能にかつ着脱可能に支持する軸受溝１５が設けられている。この軸受溝１５は、図４に示すように、上端が開放する垂直な軸案内溝部１５ａと、この軸案内溝部１５ａの下端に連なって前方へ屈曲状に形成された軸支持溝部１５ｂにより構成されている。リール２の軸１４は軸支持溝部１５ｂに対し軸案内溝部１５ａによる導入・導出作用を介して着脱可能である。軸支持溝部１５ｂの軸案内溝部１５ａとの連接部近傍には、リール２の軸１４が自在に乗り越えできるように弾性変形自在な突起１６を設け、この突起１６によりリール２の軸１４が不用意に軸支持溝部１５ｂから軸案内溝部１５ａへ抜け出ることのないようになしている。
【００１６】
リール支持部３の前方に設置される切断部４は、図４に示すように、カッター保持突部１７をリール収容凹部１３の前方に位置するように上向き隆起状に設けており、そのカッター保持突部１７の頂部にカッター１８を取り付けている。
【００１７】
一方、粘着性ウレタン樹脂等による粘着剤層６は、図３、図４に示すように、半円形、円形、多角形等のシート状に形成されて、底板５２の底面の前後に粘着剤層６の厚みよりも少し浅く設けた凹部２０内にそれぞれ埋め込み固定されている。この粘着剤層６は表面が汚れると粘着力が低下するので、布等を濡らして汚れを拭き取ることにより粘着力を回復するものである。なお、常套手段通り、テープカッターの梱包輸送や倉庫での保管時等にはこの粘着剤層６の表面に剥離フィルム（図示せず）を剥離可能に貼着するもよい。但し、テープカッターを使用する前にはその剥離フィルムを粘着剤層６の表面から剥がして廃棄する。
【００１８】
また、保護カバー７は、図３、図４に示すように、底板５２の底面に粘着剤層６の表面を遮蔽する姿勢と、前記表面から退けて該表面を露出する姿勢とにわたって軸２１回りに回転可能に取り付けられる。保護カバー７は、粘着剤層６の表面全体を遮蔽し得る大きさの平板状のカバー本体７１と、このカバー本体７１の回転基端側に略直角に連設した屈曲基部７２、および屈曲基部７２の先の両端に突設した軸２１により構成されている。カバー本体７１の粘着剤層遮蔽面側は、粘着剤層６に対し線状もしくは断続状に接着する接着リブ２２と、接着しない非接着凹面部２３とで構成している。図示例では接着リブ２２がカバー本体７１の外形に沿う環状に形成され、非接着凹面部２３はその環状の接着リブ２２で囲まれている。この保護カバー７は、例えば、ポリスチレン等の合成樹脂で成形される。
【００１９】
底板５２の底面上における前後の粘着剤層６，６間には、図３、図４に示すように、各粘着剤層６の表面を露出する姿勢下にある前後の保護カバー７，７を同じように収納保持する凹所２４を設けている。凹所２４内の前側両端および後側両端にそれぞれ軸孔２５を設け、前側両端の軸孔２５に前側の保護カバー７の軸２１を、後側両端の軸孔２５に後側の保護カバー７の軸２１をそれぞれ回転可能に挿入している。凹所２４の深さは、保護カバー７が粘着剤層６の表面と面一かもしくは粘着剤層６の表面より上方に位置するよう収納できる深さに設定している。
【００２０】
保護カバー７は凹所２４内で不用意に下向きに回転することなくその収納状態が保持されるように、図４に示すように保護カバー７の屈曲基部７２の長さＬを、凹所２４の内底面と軸孔２５内の下端部との間の間隔Wよりも僅かに長く設定することによって保護カバー７の屈曲基部７２及び軸２１が凹所２４の内底面２４ｂ（２４ａ）と軸孔２５内の下端部との間に軽く圧入嵌合して制動できるようになしている。
【００２１】
また、図４に示すように、凹所２４の内底面の前後領域２４ａ，２４ｂはこの両域２４ａ，２４ｂ間の中央領域２４ｃに向けて漸次浅くなるよう傾斜面に形成されるとともに、中央領域２４ｃが平坦面に形成される。これによって、保護カバー７はカバー本体７１の先端側が凹所２４の内底面の中央領域２４ｃより少し浮上する状態に収納され、この浮上されるカバー本体７１の先端側に指先が掛け易くなる。この場合、カバー本体７１の先端側に指先をより掛け易くするためにはカバー本体７１の先端側につまみ片２６（図３参照）を設けておくことが好ましい。
【００２２】
このようにカッター本体５の底面に取り付けられ、図３中、実線Mの状態、および図４中、Mで示すごとく凹所２４内に収納保持された保護カバー７は、テープカッターの不使用時において、カバー本体７１の先端側に指先を掛けて軸２１回りに下方向Ｘ（図４参照）に回転させることにより、図３中の破線Ｎおよび図４中の破線Ｎで示すごとくカバー本体７１の粘着剤層遮蔽面側を粘着剤層６の表面上に重ねて該表面を遮蔽する。これによりカバー本体７１の粘着剤層遮蔽面側は粘着剤層６の表面に汚れやゴミなどが付着するのを防止できる。この場合、カバー本体７１の接着リブ２２のみが粘着剤層６に接着し、非接着凹面部２３は粘着剤層６に接着しない状態にある。
【００２３】
テープカッターの使用時には、カバー本体７１の先端側に指先が掛けて保護カバー７を粘着剤層６の表面から軸２１回りに図４中、Ｙ方向に反転させることにより粘着剤層６の表面を露出できる。その際、保護カバー７は粘着剤層６に接着リブ２２のみが接着して接着面積を少なくしているので、保護カバー７を粘着剤層６から容易に剥がすことができる。そして、テープカッターは被着面に対し粘着剤層６の粘着力により接着固定できるため、粘着テープ１の引き出し及びカッター１８による切断を容易に行うことができる。
【００２４】
上記実施例では、粘着剤層６が底板５２の底面の前後二箇所に配設されているが、これに限定されるものではなく、粘着剤層６は底板５２の一箇所に配設するものであってもよい。
【００２５】
【発明の効果】
本発明によれば、カッター本体の底面に粘着剤層の保護カバーを取り付けることにより使用、不使用に応じて粘着剤層の表面を簡易かつ迅速に露出したり遮蔽したりすることができて使い勝手が頗る良好である。
【図面の簡単な説明】
【図１】本発明の一実施例を示すテープカッターの平面図である。
【図２】図１のテープカッターの側面図である。
【図３】図１のテープカッターの底面図である。
【図４】図１におけるＡ−Ａ線断面図である。
【符号の説明】
１  粘着テープ
２  リール
３  リール支持部
４  切断部
５  カッター本体
６  粘着剤層
７  保護カバー
２１  軸
２４  凹所
２２  接着リブ
２３  非接着凹面部
【図１】
2004189464.tif 000003
【図２】
2004189464.tif 000004
【図３】
2004189464.tif 000005
【図４】
2004189464.tif 000006